(57)【要約】      （修正有）【課題】充電する際、電源装置だけを取外して既に充電済みの電源装置と交換するだけで良いため、眼鏡の使用に悪影響を全く与えず、利用効率が高い磁気吸着式ブルートゥース（登録商標）眼鏡を提供する。【解決手段】磁気吸着式ブルートゥース眼鏡は、テンプル１、ブルートゥース回路モジュール３及び電源装置４を備える。テンプルは、内側に凹んだ収容空間を有する。収容空間内には、複数の嵌着孔が形成される。テンプルには、収容空間に対応して外蓋１２が蓋設される。外蓋には、各嵌着孔に対応して嵌着固定される嵌着凸部１２１が突設される。テンプルの底部には、収容空間に向かって貫通した集音孔１２２及び発音孔１２３が形成される。テンプルの末端には、取付け部１３が突設される。取付け部の周縁には、挟持溝が取り囲むように凹設される。挟持溝内には、第１の磁性部材１５が嵌着固定される。【選択図】図１
0003232314.tif 000002
【実用新案登録請求の範囲】
【請求項１】
テンプル、ブルートゥース（登録商標）回路モジュール及び電源装置を備えた、磁気吸着式ブルートゥース眼鏡であって、
前記テンプルは、内側に凹んだ収容空間を有し、前記収容空間内には、複数の嵌着孔が形成され、前記テンプルには、前記収容空間に対応して外蓋が蓋設され、前記外蓋には、各前記嵌着孔に対応して嵌着固定される嵌着凸部が突設され、前記テンプルの底部には、前記収容空間に向かって貫通した集音孔及び発音孔が形成され、前記テンプルの末端には、取付け部が突設され、前記取付け部の周縁には、挟持溝が取り囲むように凹設され、前記挟持溝内には、第１の磁性部材が嵌着固定され、
前記ブルートゥース回路モジュールは、前記テンプルの前記収容空間内に収容され、前記ブルートゥース回路モジュールには、ブルートゥース通信ユニットが内蔵され、前記ブルートゥース回路モジュールは、内蔵された前記ブルートゥース通信ユニットを利用し、使用者のモバイルデバイスと通信し、前記ブルートゥース回路モジュールには、前記集音孔に対応するマイクが設けられ、前記ブルートゥース回路モジュールには、前記発音孔に対応した箇所にスピーカーが設けられ、前記ブルートゥース回路モジュールには、使用者がタッチ操作するタッチ操作スイッチが設けられ、前記ブルートゥース回路モジュールには、電源接続ベースが接続され、前記電源接続ベースは、前記テンプルの末端に連結固定され、前記電源接続ベースは、電極部を有し、
前記電源装置は、収容ハウジングを有し、前記収容ハウジングには、前記テンプルの末端の前記取付け部が嵌設され、前記収容ハウジング内には、蓄電ユニットが収容され、前記蓄電ユニットには、前記ブルートゥース回路モジュールの前記電源接続ベースの前記電極部に対応し、互いに接触された電源端子が設けられ、前記収容ハウジングの内縁には、前記テンプルの前記挟持溝内に嵌設された前記第１の磁性部材が嵌着固定され、第２の磁性部材が磁気吸着されて位置決めされることを特徴とする、
磁気吸着式ブルートゥース眼鏡。
【請求項２】
前記テンプルの前端には、蝶番が嵌着され、前記蝶番は、金属プレートが折り曲げられて一体成形された嵌着部からなり、前記嵌着部の一側壁面には、切欠溝が形成され、前記嵌着部の内部空間は、前記切欠溝により伸縮弾性を有し、前記嵌着部の一端には、互いに対応した２つのストッパが形成され、２つの前記ストッパには、枢着片が垂直に延設され、２つの前記枢着片には、互いに対応した枢着孔がそれぞれ形成され、前記嵌着部には、２つの前記枢着片の方向に対応して延びた弾片が突設され、前記蝶番は、前記嵌着部により前記テンプルの前端に嵌着固定され、前記ストッパは、前記テンプルの前端を位置拘束し、前記蝶番を介して２つの前記枢着片に形成された前記枢着孔と、眼鏡フレームの両側に設けられた組立部に設けられた枢軸とが枢着され、弾片が前記組立部の外側に当接されることを特徴とする請求項１に記載の磁気吸着式ブルートゥース眼鏡。
【請求項３】
前記蝶番は、前記嵌着部の一側壁面に完全に貫通したロック孔が形成され、前記ロック孔を介して螺合部材により前記テンプルに螺着固定されることを特徴とする請求項２に記載の磁気吸着式ブルートゥース眼鏡。
【考案の詳細な説明】
【技術分野】
【０００１】
本考案は、磁気吸着式ブルートゥース（登録商標）眼鏡に関し、特に、使用過程で線材による制限を受けないため使い勝手が良い上、充電する際、眼鏡を掛けた者が眼鏡全体を外して充電しなくても、電源装置だけを取外して既に充電済みの電源装置と交換するだけで良いため、眼鏡の使用に悪影響を全く与えず、利用効率が高い磁気吸着式ブルートゥース眼鏡に関する。
【背景技術】
【０００２】
各種のヘッドフォンを利用すると、ユーザは容易に音楽を聴くことができ、周りの人に迷惑を掛けないが、実際に使用すると分かるように、ヘッドフォンが線材の影響を受けるため、使用中に行う様々な動作により、ヘッドフォンの線材を不用意に引っ張って、ヘッドフォンが外れてしまうことがあり、使い勝手が良くなかった。
以上に鑑み、従来、ワイヤレスヘッドフォンが研究開発されて販売されているが、ヘッドフォンは使用過程で耳内に挿入されるため、使用者の耳が異物感や不快を感じることは避けられず、全体の構造設計上、依然として改善の余地があった。
【考案の概要】
【考案が解決しようとする課題】
【０００３】
本考案の主な目的は、使用過程で線材による制限を受けないため使い勝手が良い上、充電する際、眼鏡を掛けた者が眼鏡全体を外して充電しなくても、電源装置だけを取外して既に充電済みの電源装置と交換するだけで良いため、眼鏡の使用に悪影響を全く与えず、利用効率が高い磁気吸着式ブルートゥース眼鏡を提供することにある。
【図面の簡単な説明】
【０００４】
【図１】本考案の一実施形態に係る磁気吸着式ブルートゥース眼鏡を示す分解斜視図である。
【図２】本考案の一実施形態に係る磁気吸着式ブルートゥース眼鏡の別の角度からの斜視図である。
【図３】本考案の一実施形態に係る磁気吸着式ブルートゥース眼鏡のテンプルを示す組立断面図である。
【図４】本考案の一実施形態に係る磁気吸着式ブルートゥース眼鏡の蝶番成形の連続動作状態を示す説明図である。
【図５】本考案の一実施形態に係る電源装置を示す分解斜視図である。
【図６】本考案の一実施形態に係る電源装置を示す組立断面図である。
【図７】本考案の一実施形態に係る蝶番と眼鏡フレームとを組立てるときの状態を示す分解斜視図である。
【図８】本考案の一実施形態に係る蝶番と眼鏡フレームとを組立てるときの状態を示す拡大斜視図である。
【図９】本考案の一実施形態に係る蝶番と眼鏡フレームとを組立てるときの状態を示す拡大平面図である。
【図１０】本考案の一実施形態に係る眼鏡フレームを開く動作を示す部分拡大図である。
【図１１】本考案の一実施形態に係る眼鏡フレームを閉じる動作を示す部分拡大図である。
【考案を実施するための形態】
【０００５】
本考案の技術手段及びそれにより達成可能な効果を、より完全かつ明白に開示するために、開示した添付の図面及び符号と併せて本考案を以下に詳説する。
【０００６】
まず、図１及び図２を参照する。図１は、本考案の一実施形態に係る磁気吸着式ブルートゥース眼鏡を示す分解斜視図である。図２は、本考案の一実施形態に係る磁気吸着式ブルートゥース眼鏡の別の角度からの斜視図である。
図１及び図２に示すように、本考案の一実施形態に係る磁気吸着式ブルートゥース眼鏡は、少なくともテンプル１、蝶番２、ブルートゥース回路モジュール３及び電源装置４から構成されてなる。
【０００７】
テンプル１は、内側に凹んだ収容空間１１を底部に有する。収容空間１１内には、複数の嵌着孔１１１が形成される。テンプル１の底端面には、収容空間１１に対応して外蓋１２が蓋設される。外蓋１２には、各嵌着孔１１１に対応して嵌着固定される嵌着凸部１２１が突設されている（図３の本考案の一実施形態に係る磁気吸着式ブルートゥース眼鏡のテンプルを示す組立断面図を併せて参照する）。
外蓋１２には、収容空間１１に向かって貫通した集音孔１２２及び発音孔１２３が形成されている。発音孔１２３には、スピーカーネットカバー１２４が覆設される。テンプル１の末端には、取付け部１３が突設されている。取付け部１３の周縁には、挟持溝１４が取り囲むように凹設される。挟持溝１４内には、第１の磁性部材１５が嵌着固定される。第１の磁性部材１５の外端には、防水パッキン１６が設けられる。
【０００８】
図４を参照する。図４は、本考案の一実施形態に係る磁気吸着式ブルートゥース眼鏡の蝶番成形の連続動作状態を示す説明図である。図４に示すように、蝶番２は、金属プレート２１が折り曲げられて一体成形された嵌着部２２を含む。嵌着部２２の一側壁面には、完全に貫通したロック孔２３が形成されている。嵌着部２２の一側壁面には切欠溝２４が形成され、嵌着部２２の内部空間は、切欠溝２４により伸縮弾性を有する。
嵌着部２２の一端には、互いに対応した２つのストッパ２５が形成され、ストッパ２５により嵌着部２２の端部を遮蔽する。２つのストッパ２５には、枢着片２６が垂直に延設されている。２つの枢着片２６には、互いに対応した枢着孔２６１がそれぞれ形成される。嵌着部２２には、２つの枢着片２６の方向に対応して延びた弾片２７が突設され、蝶番２は、嵌着部２２によりテンプル１の前端に嵌着固定され、ストッパ２５は、テンプル１の前端を位置拘束し、螺合部材２８を利用し、ロック孔２３を介してテンプル１に螺着固定される。
【０００９】
ブルートゥース回路モジュール３は、テンプル１の収容空間１１内に収容される。ブルートゥース回路モジュール３には、ブルートゥース通信ユニットが内蔵される。ブルートゥース回路モジュール３は、内蔵されたブルートゥース通信ユニットを介し、使用者のモバイルデバイスと通信する。ブルートゥース回路モジュール３には、集音孔１２２に対応するマイク３１が設けられる。マイク３１は、マイクのノイズを低減させ、ブルートゥース回路モジュール３には、発音孔１２３に対応した箇所にスピーカー３２が設けられる。スピーカー３２は、キャビティスピーカー（ｃａｖｉｔｙ  ｓｐｅａｋｅｒ）でもよい。
また、ブルートゥース回路モジュール３には、使用者がタッチ操作することができるようにタッチ操作スイッチ３３が設けられる。ブルートゥース回路モジュール３には、電源接続ベース３４が接続される。電源接続ベース３４は、テンプル１の末端に連結固定される。電源接続ベース３４は、電極部３４１を有する。
【００１０】
図５及び図６を参照する。図５は、本考案の一実施形態に係る電源装置を示す分解斜視図である。図６は、本考案の一実施形態に係る電源装置を示す組立断面図である。
図５及び図６に示すように、電源装置４は、収容ハウジング４１を有する。収容ハウジング４１には、テンプル１の末端の取付け部１３が嵌設される。収容ハウジング４１内には、蓄電ユニット４２が収容される。蓄電ユニット４２は、蓄電池、蓄電コンデンサなどでもよい。蓄電ユニット４２には、ブルートゥース回路モジュール３の電源接続ベース３４の電極部３４１に対応し、互いに接触された電源端子４２１が設けられる。収容ハウジング４１の内縁には、テンプル１の挟持溝１４内に嵌設された第１の磁性部材１５が嵌着固定され、第２の磁性部材４３が磁気吸着されて位置決めされる。
【００１１】
テンプル１の収容空間１１には、ブルートゥース回路モジュール３が収容され、外蓋１２を収容空間１１に対応させて蓋設し、外蓋１２の嵌着凸部１２１と収容空間１１の嵌着孔１１１とが嵌着され、電源装置４の収容ハウジング４１と取付け部１３とが嵌着される。収容ハウジング４１の内縁に嵌着された第２の磁性部材４３と、挟持溝１４内に嵌着された第１の磁性部材１５と、が互いに磁気吸着されて位置決めされ、第１の磁性部材１５と第２の磁性部材４３との間に設けられた防水パッキン１６により水分が侵入することを防ぐ。蓄電ユニット４２の電源端子４２１が、電源接続ベース３４の電極部３４１と接触されると給電される。
【００１２】
本考案を実際に使用する際、使用者はモバイルデバイスによりブルートゥース回路モジュール３に内蔵されたブルートゥース通信ユニットと通信し、使用者が眼鏡を掛ける過程でも、使用者はテンプル１を介してブルートゥース回路モジュール３に設けたタッチ操作スイッチ３３を利用し、容易にタッチ操作することができ、スピーカー３２を介してテンプル１の発音孔１２３を覆設するスピーカーネットカバー１２４から再生された音楽を聴くことができる上、マイク３１とスピーカー３２との組み合わせにより、使用者は通話することもできるため、使い勝手がよい。
【００１３】
図７、図８及び図９を参照する。図７は、本考案の一実施形態に係る蝶番と眼鏡フレームとを組立てるときの状態を示す分解斜視図である。図８は、本考案の一実施形態に係る蝶番と眼鏡フレームとを組立てるときの状態を示す拡大斜視図である。図９は、本考案の一実施形態に係る蝶番と眼鏡フレームとを組立てるときの状態を示す拡大平面図である。
図７〜図９に示すように、蝶番２は、嵌着部２２を介してテンプル１の前端に嵌着固定された後、蝶番２により２つの枢着片２６に形成された枢着孔２６１と、眼鏡フレーム５の両側に設けられた組立部５１に設けられた枢軸５２と枢着されるか直接螺着されると、このとき弾片２７は、組立部５１の外側に当接される。使用者が眼鏡を掛けるときにテンプル１を開くと、蝶番２の弾片２７が、眼鏡フレーム５の組立部５１の側辺に対して弾性支持接触状態が維持される。テンプル１が適切な角度まで開かれると、弾片２７の付勢力により押動され、テンプル１が位置決めされるまで自動的に開かれる（図１０の本考案の一実施形態に係る眼鏡フレームを開く動作を示す部分拡大図を併せて参照する）。使用者が顔に眼鏡を掛けると、弾片２７の付勢力により、使用者の顔の幅に応じて２つのテンプル１が開かれる幅が弾性変化し、２つのテンプル１が使用者の頭部に弾性当接されるため、使用者の頭部に眼鏡が安定的に掛けられるとともに、使用者の頭部両側が強く締め付けられることはない。
また、テンプル１を閉じる際、同様に弾片２７の付勢力によりテンプル１が適切な角度まで閉じられると、弾片２７によりテンプル１が位置決めされるまで自動的に畳まれる（図１１の本考案の一実施形態に係る眼鏡フレームを閉じる動作を示す部分拡大図を併せて参照する）。
【００１４】
上述したことから分かるように、本考案の磁気吸着式ブルートゥース眼鏡は、以下（１）〜（３）の長所を有する。
（１）蓄電ユニットに蓄電コンデンサが採用されているため、充電を急速に行え、使い勝手が良く、安全性が高い。
（２）蝶番により眼鏡フレームを結合し、従来の眼鏡のようにねじにより蝶番に枢着させる必要がないため、ねじにより蝶番に取付ける構造では、一定時間使用した後、眼鏡フレームが緩んでしまうことを防ぐことができる。さらに、使用者自らが眼鏡フレームと蝶番とを組立てたり分解したりすることができるため、眼鏡の眼鏡フレームの交換、修理などを容易に行うことができる。
（３）蝶番の弾片が発生させる付勢力により、テンプルが適切な角度まで開かれると、テンプルが自動的に開いたり閉じたりするため使い勝手が良く、使用者の顔の幅に応じて２つのテンプルが開かれたときの幅を弾性変化させ、２つのテンプルが使用者の頭部に弾性当接されるため、使用者の頭部に眼鏡が安定的に掛けられるとともに、使用者の頭部両側が強く締め付けられることがないため、眼鏡を快適に掛けることができる。
【符号の説明】
【００１５】
１  テンプル
２  蝶番
３  ブルートゥース回路モジュール
４  電源装置
５  眼鏡フレーム
１１  収容空間
１２  外蓋
１３  取付け部
１４  挟持溝
１５  第１の磁性部材
１６  防水パッキン
１７  集音孔
１８  発音孔
２１  金属プレート
２２  嵌着部
２３  ロック孔
２４  切欠溝
２５  ストッパ
２６  枢着片
２７  弾片
２８  螺合部材
３１  マイク
３２  スピーカー
３３  タッチ操作スイッチ
３４  電源接続ベース
４１  収容ハウジング
４２  蓄電ユニット
４３  第２の磁性部材
５１  組立部
５２  枢軸
１１１  嵌着孔
１２１  嵌着凸部
１２２  集音孔
１２３  発音孔
１２４  スピーカーネットカバー
１８１  スピーカーネットカバー
２６１  枢着孔
３４１  電極部
４２１  電源端子
【図１】
0003232314.tif 000003
【図２】
0003232314.tif 000004
【図３】
0003232314.tif 000005
【図４】
0003232314.tif 000006
【図５】
0003232314.tif 000007
【図６】
0003232314.tif 000008
【図７】
0003232314.tif 000009
【図８】
0003232314.tif 000010
【図９】
0003232314.tif 000011
【図１０】
0003232314.tif 000012
【図１１】
0003232314.tif 000013